(57)【特許請求の範囲】
【請求項１】
浴槽には、給湯装置からの液体を浴槽に供給する供給口および前記給湯装置へ送られる前記浴槽の液体を受け入れる受入口が設けられ、
前記給湯装置から前記供給口に延びる第１配管と、
前記給湯装置から前記受入口に延びる第２配管と、
を備える給湯システムであって、
前記第１配管と前記第２配管とを接続するバイパス経路と、
前記バイパス経路を液体が流通可能な状態と流通不能な状態とを切り換える切り換え手段と、を有し、
前記切り換え手段は、
前記第２配管と前記バイパス経路との連結部に配置された三方弁と、
前記バイパス経路に配置され、前記第１配管から前記第２配管方向への通流が可能かつ前記第２配管から前記第１配管方向への通流が不能に構成された逆止弁と、を有する
ことを特徴とする給湯システム。
【請求項２】
前記切り換え手段を制御する制御手段を更に備え、
前記制御手段は、
前記第２配管に液体を保持可能なように前記切り換え手段を制御する
ことを特徴とする請求項１に記載の給湯システム。
【請求項３】
前記給湯装置に前記第１配管および前記第２配管を接続する一対の浴槽配管接続金具を備え、
前記バイパス経路は、
前記一対の浴槽配管接続金具よりも前記供給口および前記受入口に近い位置に設けられる
ことを特徴とする請求項１または請求項２に記載の給湯システム。
【発明の詳細な説明】
【技術分野】
【０００１】
本発明は、給湯システムに関する。
【背景技術】
【０００２】
特許文献１には、タンクユニット（給湯装置）内に水位センサを備え、浴槽に溜めた湯水の水頭圧と大気圧との差を検知することにより、浴槽の水位を計測する給湯機（給湯システム）が開示されている。
【０００３】
近年の住宅事情から、給湯装置を上階（例えば屋上）に設置し、浴槽を下階に設置する、階下浴槽を備えた給湯システムの要求が増えている。
しかし、従来の給湯システムでは、給湯装置の設置位置に対して浴槽の設置位置がある距離（例えば５ｍ）低い階下の場合、給湯装置と浴槽とを接続する浴槽配管内の水が高低差により浴槽へと落水し、浴槽配管内に空気が流入するため、水位センサが誤作動を起こすおそれがある。
【０００４】
また、特許文献２には、浴槽配管内に空気が流入した場合、給湯装置と浴槽と浴槽配管で接続する循環回路に湯水を供給することでエアパージを行う風呂装置（給湯システム）が開示されている。
【先行技術文献】
【特許文献】
【０００５】
【特許文献１】特開２００９−２９３８８４号公報
【特許文献２】特開２０１０−７１５１１号公報
【発明の概要】
【発明が解決しようとする課題】
【０００６】
しかしながら、特許文献２で開示された風呂装置（給湯システム）は、浴槽配管内に空気が流入した場合、追い焚き運転時も湯水を供給する必要があり、無駄に浴槽に湯水をたすことになる。
【０００７】
また、現地の設置条件により、給湯装置と浴槽の高低差が大きく異なる場合がある。
給湯装置の設置位置に対して浴槽の設置位置が高い場合、浴槽配管内の空気は浴槽へ送水される湯水によって押し出されるので抜けやすい。
一方、給湯装置の設置位置に対して浴槽の設置位置が低い場合、浴槽配管内の空気は浴槽へ送水される湯水によって一時的に押し出されるが、浴槽の排水や時間経過とともに浴槽配管内の湯水は抜け、浴槽配管内に空気が流入する。
水位センサと浴槽の水面までの配管の回路において配管内に存在する空気により、浴槽の水位を適切に検出することができず、湯張り運転が適切に行えなくなるおそれがある。
【０００８】
また、水位センサには限られた計測レンジがあり、浴槽位置を自由に設置するユーザニーズを満足するには（即ち、高低差に関わらず正確に水位を検知するには）、複数種類の水位センサと、これを制御するプログラムが必要となる。想定される全ての計測レンジを網羅する水位センサは、高価であり、また、分解能が大きくなるため細かな水位計測を行うことができない。
【０００９】
また、浴槽内の湯水を給湯装置内の熱源へポンプで循環送水し、給湯装置内の熱源と熱交換して浴槽に戻すことで浴槽内のお湯の温度を上昇させる追い焚き運転において、追い焚き運転の開始時にポンプに空気が流入すると、ポンプが空転して浴槽内の湯水を循環できず、追い焚き運転が行えないおそれがある。
【００１０】
そこで、本発明は、浴槽配管内の湯水が抜けることを防止する給湯システムを提供することを課題とする。
【課題を解決するための手段】
【００１１】
このような課題を解決するために、本発明は、浴槽には、給湯装置からの液体を浴槽に供給する供給口および前記給湯装置へ送られる前記浴槽の液体を受け入れる受入口が設けられ、前記給湯装置から前記供給口に延びる第１配管と、前記給湯装置から前記受入口に延びる第２配管と、を備える給湯システムであって、前記第１配管と前記第２配管とを接続するバイパス経路と、前記バイパス経路を液体が流通可能な状態と流通不能な状態とを切り換える切り換え手段と、を有し、前記切り換え手段は、前記第２配管と前記バイパス経路との連結部に配置された三方弁と、前記バイパス経路に配置され、前記第１配管から前記第２配管方向への通流が可能かつ前記第２配管から前記第１配管方向への通流が不能に構成された逆止弁と、を有することを特徴とする給湯システムである。
【発明の効果】
【００１２】
本発明によれば、浴槽配管内の湯水が抜けることを防止する給湯システムを提供することができる。
【図面の簡単な説明】
【００１３】
【図１】本実施形態に係る給湯システムの構成図である。
【図２】本実施形態に係る給湯システム備える切り換え手段の第１状態を示す説明図である。
【図３】本実施形態に係る給湯システム備える切り換え手段の第２状態を示す説明図である。
【図４】変形例に係る給湯システム備える切り換え手段の第１状態を示す説明図である。
【図５】変形例に係る給湯システム備える切り換え手段の第２状態を示す説明図である。
【発明を実施するための形態】
【００１４】
以下、本発明を実施するための形態（以下「実施形態」という）について、適宜図面を参照しながら詳細に説明する。なお、各図において、共通する部分には同一の符号を付し重複した説明を省略する。
【００１５】
図１は、本実施形態に係る給湯システムの構成図である。
給湯システムＳは、給湯装置１と、ヒートポンプユニット３と、浴槽４０に設置されるアダプタ４１とを備えている。
給湯装置１は、タンク２と、凍結防止三方弁４と、混合弁５と、電磁弁６と、風呂循環ポンプ７と、循環調整弁８と、タンク２内に配置された追い焚き熱交換器９とを備え、各配管で接続されている。なお、追い焚き熱交換器はタンク２外に配置されるものであってもよい。
【００１６】
給水源（図示せず）と接続された配管１１はタンク２の下部に接続されている。また、配管１１から分岐した配管１１ａは、混合弁５の流入口と接続されている。
タンク２は、液体を貯留するものであり、下部に配管１１が接続され、上部に配管１７が接続されている。配管１１から液体が流入されることにより、タンク２内の液体が押し上げられ、タンク２の上部に貯留された液体が配管１７から流出するようになっている。
【００１７】
また、タンク２は、下部に配管１２が接続され、上部に配管１６が接続されている。
配管１２は、凍結防止三方弁４、配管１３、配管１４を介して、ヒートポンプユニット３の入口側に接続され、配管１６は、配管１５を介して、ヒートポンプユニット３の出口側に接続されている。
【００１８】
ヒートポンプユニット３は、圧縮機（図示せず）、液冷媒熱交換器（図示せず）、減圧弁（図示せず）、空気冷媒熱交換器（図示せず）を有する冷媒回路（図示せず）と、液体を送液するポンプ（図示せず）を備え、入口側からポンプ（図示せず）により液体を吸い込んで、液冷媒熱交換器（図示せず）で高温の冷媒と熱交換することにより加熱し、加熱された液体を出口側から吐出させるものであり、入口側に配管１４が接続され、出口側に配管１５が接続されている。
【００１９】
ヒートポンプユニット３は、制御部５０によって制御可能に構成されている。制御部５０は、ヒートポンプユニット３を駆動することにより、配管１２，１３，１４を介してタンク２下部の液体を吸い込んで、加熱された液体を配管１５，１６を介してタンク２の上部から貯留するという「沸き上げ運転」を行うことができるようになっている。
【００２０】
凍結防止三方弁４は、一方の流入口から流入する液体、または、他方の流入口から流入する液体を、流出口から流出するものであり、一方の流入口に配管１２が接続され、他方の流入口に配管１６から分岐した配管１６ａが接続され、流出口に配管１３が接続されている。
凍結防止三方弁４は、制御部５０によって流路の切り換えが制御可能に構成されている。制御部５０は、前述した「沸き上げ運転」の際には、凍結防止三方弁４を配管１２と配管１３とが連通する状態とする。また、制御部５０は、凍結防止三方弁４を配管１６ａと配管１３とが連通する状態とし、ヒートポンプユニット３を駆動することにより、配管１３，１４，１５，１６ａ内に液体を循環させ、配管１４，１５の凍結を防止するという「ヒートポンプ側凍結防止運転」を行うことができるようになっている。
【００２１】
混合弁５は、一方の流入口から流入する液体と他方の流入口から流入する液体とを混合し、混合した液体を流出口から流出するものであり、一方の流入口にタンク２上部と接続された配管１７が接続され、他方の流入口に給水源（図示せず）に接続された配管１１から分岐した配管１１ａが接続され、流出口に配管１８が接続されている。
混合弁５は、制御部５０によって混合比が制御可能に構成されており、混合比を変更することにより、流出口から流出する液体の温度、即ち、浴槽４０に供給される湯水の温度を変更することができる。
【００２２】
電磁弁６は、電磁式の開閉弁であり、一端が配管１８と接続され、他端が配管１９と接続されている。そして、配管１９は、浴槽戻り管２２に合流し、浴槽戻り管２２の一端は浴槽配管接続金具３１に接続され、浴槽戻り管２２の他端は風呂循環ポンプ７に接続されている。
電磁弁６は、制御部５０によって開閉が制御可能に構成されており、開弁することにより浴槽４０に湯水を供給し、閉弁することにより浴槽４０への湯水の供給を停止することができる。
【００２３】
風呂循環ポンプ７は、吸込口から吸い込んだ液体を吐出口から吐き出すものであり、吸込口に浴槽戻り管２２が接続され、吐出口に配管２２ａが接続されている。
風呂循環ポンプ７は、制御部５０によって制御可能に構成されている。
【００２４】
循環調整弁８は、流入口から流入する液体を分流して、一部の液体を一方の流出口から流出し、残部の液体を他方の流出口から流出するものであり、流入口に配管２２ａが接続され、一方の流出口に配管２２ｂが接続され、他方の流出口に浴槽往き管２３から分岐した配管２３ａが接続されている。
循環調整弁８は、制御部５０によって分流比（一方の流出口から流出する液体と他方の流出口から流出する液体との比率）を制御可能に構成されている。
【００２５】
追い焚き熱交換器９は、タンク２の内部上側に配置され、入口側から流入する液体をタンク２内の高温水と熱交換することにより加熱して、加熱された液体を出口側から流出するものであり、入口側に配管２２ｂが接続され、出口側に浴槽往き管２３が接続されている。そして、浴槽往き管２３は配管２３ａと合流し、浴槽配管接続金具３２に接続されている。
【００２６】
浴槽４０には、受入口４２および供給口４３を有するアダプタ４１が設置されている。
アダプタ４１の受入口４２と給湯装置１の浴槽配管接続金具３１とは、浴槽戻り配管２１（２１ａ）（第２配管）で接続されている。また、アダプタ４１の供給口４３と給湯装置１の浴槽配管接続金具３２とは、浴槽往き配管２４（第１配管）で接続されている。
【００２７】
本実施形態に係る給湯システムＳは、浴槽戻り配管２１（２１ａ）と浴槽往き配管２４との間を接続して浴槽４０をバイパスするバイパス経路２５が形成されている。
また、バイパス経路２５には、湯水の流通を切り換える切り換え手段としての三方弁４４および逆止弁４５を配置されている。
【００２８】
三方弁４４は、浴槽戻り配管２１（２１ａ）とバイパス経路２５との連結部に配置され、３つのポートに、アダプタ４１（受入口４２）側の浴槽戻り配管２１ａ、バイパス経路２５および給湯装置１（浴槽配管接続金具３１）側の浴槽戻り配管２１が接続され、浴槽戻り配管２１ａと浴槽戻り配管２１とが連通して湯水が流通可能な第１状態（図２参照）と、バイパス経路２５と浴槽戻り配管２１とが連通して湯水が流通可能かつ浴槽戻り配管２１ａと浴槽戻り配管２１との間で閉塞して湯水が流通不可な第２状態（図３参照）とが、制御部５０によって流路の切り換えが制御可能に構成されている。
【００２９】
逆止弁４５は、バイパス経路２５に配置され、浴槽往き配管２４から浴槽戻り配管２１方向への通流が可能かつ浴槽戻り配管２１から浴槽往き配管２４方向への通流が不能に構成されている。
【００３０】
図１に示すように、バイパス経路２５は、給湯装置１の一対の浴槽配管接続金具３１，３２よりもアダプタ４１（受入口４２，供給口４３）に近い位置に設けられている。
ここで、浴槽４０が給湯装置１よりも低い位置に設置されている場合、浴槽４０の水面よりも上方に位置する配管の接続部や各種弁の隙間は、水封され水漏れは防止されているものの、水面との水頭圧によりその隙間から配管内に徐々に空気が流入するため、配管内の湯水が浴槽４０に落水する。これにより、水位センサ５４が水位を誤検知するおそれがある。
本実施形態に係る給湯システムＳは、バイパス経路２５（即ち三方弁４４）がアダプタ４１の受入口４２に近い位置に設けられている。これにより、浴槽戻り配管２１および浴槽戻り管２２内の湯水は、三方弁４４を第２状態（図３参照）とすることにより、落水を防止することができる。また、浴槽戻り配管２１ａ内の湯水は、三方弁４４がアダプタ４１の側に設けられているため、水頭圧は小さく、空気が配管内に流入することを低減することができる。なお、バイパス経路２５に配置される切り換え手段としての三方弁４４および逆止弁４５は、湯張り終了時の浴槽４０の水面位置よりも低い位置に配置されることがより望ましい。
【００３１】
なお、三方弁４４を制御するための信号線は、給湯装置１の制御部５０と直接接続されていてもよく、図１に示すように、浴槽４０の側に設置される風呂リモコン５２を介して給湯装置１の制御部５０と接続されるものであってもよい。なお、図１に示すように、接続されることにより、配線を少なくすることができる。
【００３２】
台所リモコン５１は、図示しない給湯端末の側に設置され、使用者が操作することにより、給湯システムＳの動作を指示できるようになっている。
風呂リモコン５２は、浴槽４０の側に設置され、使用者が操作することにより、給湯システムＳの動作を指示できるようになっている。
【００３３】
風呂温度センサ５３は、給湯装置１内の浴槽戻り管２２に設けられた温度センサであり、浴槽戻り管２２内を通流する液体の温度を検知することができるようになっている。
風呂温度センサ５３で検知された温度信号は、給湯装置１の制御部５０に送信されるようになっている。
【００３４】
水位センサ５４は、給湯装置１内の浴槽戻り管２２に設けられており、水頭圧により、浴槽４０内の水位を検知することができるようになっている。
水位センサ５４で検知された水位信号は、給湯装置１の制御部５０に送信されるようになっている。
【００３５】
制御部５０は、台所リモコン５１や風呂リモコン５２と通信可能に接続され、台所リモコン５１や風呂リモコン５２からの設定や、風呂温度センサ５３、水位センサ５４等の各種センサの検出信号に基づいて、ヒートポンプユニット３、凍結防止三方弁４、混合弁５、電磁弁６、風呂循環ポンプ７、循環調整弁８、三方弁４４等を制御することにより、給湯システムＳの運転を制御することができるようになっている。
【００３６】
＜給湯システムＳの運転動作＞
次に、制御部５０が実行する給湯システムＳの運転動作について説明する。
本実施形態に係る給湯システムＳは、「湯張り運転（たし湯運転、さし湯運転）」、「浴槽監視運転」、「追い焚き運転」等の各種運転が可能に構成されている。
【００３７】
＜湯張り運転＞
湯張り運転とは、浴槽４０に所定の温度の湯水を所定の水位まで溜める運転である。
使用者が台所リモコン５１（または風呂リモコン５２）を操作して、浴槽４０に溜める湯水の温度（設定温度）と水位（設定水位）を入力し、湯張り開始を指示するボタン（図示せず）を入力することにより、台所リモコン５１（または風呂リモコン５２）は、給湯装置１の制御部５０に設定温度、設定水位、湯張り指令を送信する。
制御部５０は、設定温度、設定水位、湯張り指令を受信すると、湯張り運転を開始する。
【００３８】
制御部５０は、受信した設定温度に基づいて混合弁５の混合比を制御して、電磁弁６を開弁する。
また、制御部５０は、三方弁４４を第１状態（図２参照）とする。
【００３９】
すると、給水源（図示せず）の冷水が水道圧により配管１１からタンク２の下部に流入し、タンク２内の高温水を押し上げる。押し上げられた高温水は、タンク２上部に接続された配管１７から混合弁５に供給される。
タンク２上部に接続された配管１７から供給される高温水と給水源（図示せず）に接続された配管１１ａから供給される冷水とが混合弁５で混合され、設定温度に基づいた適温の湯水となる。そして、適温の湯水は、配管１８、電磁弁６、配管１９、浴槽戻り管２２、浴槽配管接続金具３１、浴槽戻り配管２１（２１ａ）を介して、アダプタ４１の受入口４２から浴槽４０内に供給される。
ここで、制御部５０は、風呂温度センサ５３から受信した検知信号（温度信号）に基づいて、混合弁５の混合比を再調整してもよい。
【００４０】
そして、制御部５０は、水位センサ５４から検知信号（水位信号）を受信して、検知した水位が所定の水位（設定水位）以上となると、電磁弁６を閉弁して、湯張り運転を終了する。
また、制御部５０は、三方弁４４を第２状態（図３参照）とする。
【００４１】
ここで、従来の給湯システムは、浴槽が給湯装置よりも下方に設置されている場合、湯張り運転終了後、浴槽戻り管および浴槽戻り配管内の湯水が徐々に浴槽へと落水し、浴槽戻り管および浴槽戻り配管内の湯水が抜けて負圧になる、空気が流入する、などで、浴槽内の水頭圧を検知する水位センサが正確に水位を検知できなくなることが知られている。
【００４２】
これに対し、本実施形態に係る給湯システムＳは、浴槽戻り配管２１（２１ａ）に三方弁４４が配置され、浴槽戻り配管２１（２１ａ）と浴槽往き管２３とを接続するバイパス経路２５に逆止弁４５が配置され、湯張り運転中は三方弁４４を第１状態（図２参照）とし、湯張り運転終了後に三方弁４４を第２状態（図３参照）とする。
【００４３】
三方弁４４を第２状態（図３参照）とすることにより、アダプタ４１（受入口４２）側の浴槽戻り配管２１ａと、給湯装置１（浴槽配管接続金具３１）側の浴槽戻り配管２１とは湯水が流通不可な状態となり、浴槽戻り管２２および浴槽戻り配管２１内の湯水が受入口４２を介して浴槽４０内に落水することを防止する。
【００４４】
また、バイパス経路２５には逆止弁４５が配置されており、浴槽戻り管２２および浴槽戻り配管２１内の湯水が供給口４３を介して浴槽４０内に落水することを防止する。
すなわち、湯張り運転終了後に、三方弁４４を第２状態（図３参照）とすることにより、浴槽戻り管２２および浴槽戻り配管２１内の湯水が浴槽４０内に落水することを防止し、水位センサ５４が水位を誤検知することを防止することができる。
【００４５】
＜浴槽監視運転＞
制御部５０は、湯張り運転を終了すると、浴槽４０内の湯水の水位／温度が、設定された水位／温度に基づいた所定の範囲内であるかを監視する浴槽監視運転を開始する。
【００４６】
制御部５０は、湯張り運転終了から所定時間経過後に、三方弁４４を第２状態（図３参照）から第１状態（図２参照）とする。
これにより、浴槽４０と水位センサ５４とが連通するので、水位センサ５４は、浴槽４０内の湯水の水位を検知することができる。
また、制御部５０は、風呂循環ポンプ７を駆動させ、浴槽４０内の湯水を浴槽戻り管２２まで引き込む。これにより、風呂温度センサ５３は、浴槽４０内の湯水の温度を検知することができる。なお、循環調整弁８は、配管２２ａから流入した湯水が配管２３ａに流出する状態となっている。
【００４７】
浴槽４０内の湯水の水位が所定の水位（設定水位）以上であり、かつ、浴槽４０内の湯水の温度が所定の温度（設定温度）以上である場合、制御部５０は、浴槽監視運転を継続する。
具体的には、制御部５０は、三方弁４４を第２状態（図３参照）に戻し、所定時間経過後に再び三方弁４４を第１状態（図２参照）にして、浴槽４０内の湯水の水位を検知し、風呂循環ポンプ７を駆動させ浴槽４０内の湯水の温度を検知する。
【００４８】
このように、浴槽監視運転において、浴槽４０内の湯水の水位／温度を検知しない期間は、三方弁４４を第２状態（図３参照）としているため、浴槽戻り管２２および浴槽戻り配管２１内の湯水が浴槽４０内に落水することを防止する。これにより、浴槽４０内の湯水の水位を検知する際には、好適に水位検知を行うことができる。
【００４９】
＜たし湯運転＞
浴槽４０内の湯水の水位が所定の水位（設定水位）未満であり、かつ、浴槽４０内の湯水の温度が所定の温度（設定温度）以上である場合、制御部５０は、たし湯運転を行う。
たし湯運転とは、設定温度に基づいた湯水を、浴槽４０に供給して、浴槽４０内の湯水の水位を所定の水位となるようにする運転である。
たし湯運転において制御部５０が行う給湯システムＳの動作は、湯張り運転と同様であり、詳細な説明は省略する。
そして、たし湯運転を終了すると、制御部５０は浴槽監視運転を再開する。
【００５０】
＜さし湯運転＞
浴槽４０内の湯水の水位が所定の水位（設定水位）未満であり、かつ、浴槽４０内の湯水の温度が所定の温度（設定温度）未満である場合、制御部５０は、さし湯運転を行う。
さし湯運転とは、設定温度より高温の湯水を、浴槽４０に供給して、浴槽４０内の湯水の水位を所定の水位となるようにするとともに、浴槽４０内の湯水の温度を所定の温度となるようにする運転である。
さし湯運転において制御部５０が行う給湯システムＳの動作は、混合弁５の混合比が異なる点を除けば湯張り運転と同様であり、詳細な説明は省略する。
そして、さし湯運転を終了すると、制御部５０は浴槽監視運転を再開する。
【００５１】
＜追い焚き運転＞
浴槽４０内の湯水の水位が所定の水位（設定水位）以上であり、かつ、浴槽４０内の湯水の温度が所定の温度（設定温度）未満である場合、制御部５０は、追い焚き運転を行う。
追い焚き運転とは、浴槽４０内の湯水を、浴槽４０−追い焚き熱交換器９間で循環させ、水位はそのままで浴槽４０内の湯水の温度が所定の温度となるようにする運転である。
制御部５０は、三方弁４４を第１状態（図２参照）とする。また、制御部５０は、風呂循環ポンプ７を駆動させ、循環調整弁８の分流比を制御する。
【００５２】
すると、浴槽４０内の湯水がアダプタ４１の受入口４２、浴槽戻り配管２１（２１ａ）、浴槽配管接続金具３１、浴槽戻り管２２を介して、風呂循環ポンプ７に吸い込まれる。
そして、風呂循環ポンプ７から吐出された湯水は、循環調整弁８により分流して、一部が追い焚き熱交換器９に導入される。分流した一部の湯水は、追い焚き熱交換器９でタンク２内の高温水と熱交換することにより加熱される。
追い焚き熱交換器９で加熱された一部の湯水と、循環調整弁８で分流した残部の湯水とは、浴槽往き管２３で合流して、適温の湯水となり、浴槽配管接続金具３２、浴槽往き配管２４、アダプタ４１の供給口４３から浴槽４０内に戻される。
【００５３】
そして、制御部５０は、風呂温度センサ５３から検知信号（温度信号）を受信して、検知した温度が所定の温度（設定温度）以上となると、風呂循環ポンプ７を停止させ、追い焚き運転を終了する。また、制御部５０は、三方弁４４を第２状態（図３参照）とする。
そして、追い焚き運転を終了すると、制御部５０は浴槽監視運転を再開する。
【００５４】
＜まとめ＞
このように、本実施形態に係る給湯システムＳは、浴槽４０内に湯水を供給する湯張り運転（たし湯運転、さし湯運転）、浴槽４０内の湯水を加熱する追い焚き運転、浴槽監視運転の水位検知時には、三方弁４４を第１状態（図２参照）とする。
それ以外の時は、三方弁４４を第２状態（図３参照）とし、浴槽戻り管２２および浴槽戻り配管２１内の湯水が浴槽４０内に落水することを防止して、浴槽戻り管２２および浴槽戻り配管２１内に常時湯水があるようにすることができる。
【００５５】
これにより、浴槽４０が給湯装置１よりも下方に設置されている場合でも、浴槽戻り管２２および浴槽戻り配管２１内が負圧になることや、空気が流入することが防止でき、浴槽４０内の水頭圧を検知する水位センサ５４が正確に水位を検知できなくなることを防止することができる。
【００５６】
＜凍結防止運転＞
また、本実施形態に係る給湯システムＳは、前述した各種運転に加えて下記の「凍結防止運転」が可能に構成されていてもよい。
凍結防止運転とは、給湯装置１と室内に設置される浴槽４０とを接続する浴槽戻り配管２１および浴槽往き配管２４内の水が外気により冷却され凍結することにより、給湯システムＳが運転不能状態となることを防止するため、配管内の湯水を循環させる運転である。
【００５７】
制御部５０は、三方弁４４を第１状態（図２参照）として、水位センサ５４で浴槽４０内の湯水の水位を検知し、検知した浴槽４０内に残湯があるか否か、具体的には、浴槽４０内の湯水の水位がアダプタ４１の受入口４２より高いか否かを判定する。
【００５８】
浴槽４０内に残湯がある（浴槽４０内の湯水の水位がアダプタ４１の受入口４２より高い）場合、制御部５０は、三方弁４４を第１状態（図２参照）のまま、風呂循環ポンプ７を駆動させる。なお、循環調整弁８は、配管２２ａから流入した湯水が配管２３ａに流出する状態となっているものとする。
これにより、浴槽４０、アダプタ４１の受入口４２、浴槽戻り配管２１ａ、三方弁４４、浴槽戻り配管２１、浴槽配管接続金具３１、浴槽戻り管２２、風呂循環ポンプ７、配管２２ａ、循環調整弁８、配管２３ａ、浴槽往き管２３、浴槽配管接続金具３２、浴槽往き配管２４、アダプタ４１の供給口４３、と循環する循環回路が形成され、浴槽４０内の湯水および各配管内の湯水を循環させる。
【００５９】
一方、浴槽４０内に残湯がない（浴槽４０内の湯水の水位がアダプタ４１の受入口４２より低い）場合、制御部５０は、三方弁４４を第１状態（図２参照）から第２状態（図３参照）とし、風呂循環ポンプ７を駆動させる。なお、循環調整弁８は、配管２２ａから流入した湯水が配管２３ａに流出する状態となっているものとする。
これにより、浴槽戻り配管２１、浴槽配管接続金具３１、浴槽戻り管２２、風呂循環ポンプ７、配管２２ａ、循環調整弁８、配管２３ａ、浴槽往き管２３、浴槽配管接続金具３２、浴槽往き配管２４、バイパス経路２５、三方弁４４、と循環する循環回路が形成され、各配管内の湯水を循環させる。
【００６０】
このように、本実施形態に係る給湯システムＳは、三方弁４４を第２状態（図３参照）とすることにより、浴槽４０内に残湯がない場合であっても、凍結防止運転を行うことができる。
また、バイパス経路２５は、給湯装置１の一対の浴槽配管接続金具３１，３２よりもアダプタ４１（受入口４２，供給口４３）に近い位置に設けられているため、給湯装置１と室内に設置される浴槽４０とを接続し、外気により冷却され凍結するおそれのある浴槽戻り配管２１および浴槽往き配管２４内に湯水を循環させることができる。
【００６１】
なお、風呂温度センサ５３で循環する湯水の温度を検知し、外気温度センサ（図示せず）で外気温度を検知して、配管内に湯水を循環させても凍結すると想定される場合、制御部５０は、循環調整弁８の分流比を制御して、一部の湯水を追い焚き熱交換器９へと流入させ、タンク２内の高温水と熱交換することにより、循環する湯水の温度を上昇させてもよい。
【００６２】
＜冷水防止運転＞
また、本実施形態に係る給湯システムＳは、前述した各種運転に加えて「冷水防止運転」が可能に構成されていてもよい。
追い焚き運転を開始すると、浴槽往き配管２４内の外気により冷めた水がアダプタ４１の供給口４３から浴槽４０内に流入するため、使用者に不快感を与えるおそれがある。
冷水防止運転とは、追い焚き運転の開始前に実行して、浴槽４０内に冷水が流入することを防止する運転である。
【００６３】
制御部５０は、三方弁４４を第２状態（図３参照）とし、風呂循環ポンプ７を駆動させ、循環調整弁８の分流比を制御する。
これにより、風呂循環ポンプ７から吐出された湯水が、循環調整弁８により分流して、一部が追い焚き熱交換器９に導入され、追い焚き熱交換器９でタンク２内の高温水と熱交換することにより加熱される。
追い焚き熱交換器９で加熱された一部の湯水と、循環調整弁８で分流した残部の湯水とは、浴槽往き管２３で合流し、浴槽往き配管２４、バイパス経路２５、浴槽戻り配管２１、浴槽戻り管２２、風呂循環ポンプ７と循環する。
【００６４】
風呂温度センサ５３で循環する湯水の温度を検知し、検知した温度が所定の温度（設定温度）近傍となると、制御部５０は、三方弁４４を第２状態（図３参照）から第１状態（図２参照）とし、追い焚き運転を開始する。
【００６５】
このように、追い焚き運転の開始前に、三方弁４４を第２状態（図３参照）として冷水防止運転を行うことにより、浴槽４０内に冷水が流入することを防止して使用者に不快感を与えない追い焚き運転が可能となる。
【００６６】
≪変形例≫
なお、本実施形態に係る給湯システムＳは、上記実施形態の構成に限定されるものではなく、発明の趣旨を逸脱しない範囲内で種々の変更が可能である。
【００６７】
本実施形態に係る給湯システムＳは、浴槽戻り配管２１および浴槽往き配管２４をバイパスするバイパス経路２５に切り換え手段としての三方弁４４および逆止弁４５を配置する構成であるものとして説明したが、これに限定されるものではなく、図４および図５に示すように、切り換え手段としての三方弁４４Ａ（第１三方弁），三方弁４４Ｂ（第２三方弁）を配置する構成であってもよい。
【００６８】
三方弁４４Ａは、浴槽戻り配管２１（２１ａ）とバイパス経路２５との連結部に配置され、３つのポートに、アダプタ４１（受入口４２）側の浴槽戻り配管２１ａ、バイパス経路２５および給湯装置１（浴槽配管接続金具３１）側の浴槽戻り配管２１が接続され、浴槽戻り配管２１ａと浴槽戻り配管２１とが連通して湯水が流通可能な第１状態（図４参照）と、バイパス経路２５と浴槽戻り配管２１とが連通して湯水が流通可能かつ浴槽戻り配管２１ａと浴槽戻り配管２１との間で閉塞して湯水が流通不可な第２状態（図５参照）とが、制御部５０によって制御可能に構成されている。
【００６９】
三方弁４４Ｂは、浴槽往き配管２４（２４ａ）とバイパス経路２５との連結部に配置され、３つのポートに、アダプタ４１（供給口４３）側の浴槽往き配管２４ａ、バイパス経路２５および給湯装置１（浴槽配管接続金具３２）側の浴槽往き配管２４が接続され、浴槽往き配管２４ａと浴槽往き配管２４とが連通して湯水が流通可能な第１状態（図４参照）と、バイパス経路２５と浴槽往き配管２４とが連通して湯水が流通可能かつ浴槽往き配管２４ａと浴槽往き配管２４との間で閉塞して湯水が流通不可な第２状態（図５参照）とが、制御部５０によって制御可能に構成されている。
【００７０】
このように、給湯システムＳは、浴槽４０内に湯水を供給する湯張り運転（たし湯運転、さし湯運転）、浴槽４０内の湯水を加熱する追い焚き運転、浴槽監視運転の水位検知時には、三方弁４４Ａ，４４Ｂを第１状態（図４参照）とする。
それ以外の時は、三方弁４４Ａ，４４Ｂを第２状態（図５参照）とし、浴槽戻り配管２１、浴槽戻り管２２、浴槽往き管２３、浴槽往き配管２４およびバイパス経路２５内の湯水が浴槽４０内に落水することを防止して、浴槽戻り配管２１、浴槽戻り管２２、浴槽往き管２３、浴槽往き配管２４およびバイパス経路２５内に常時湯水があるようにすることができる。
【００７１】
これにより、浴槽４０が給湯装置１よりも下方に設置されている場合でも、浴槽戻り配管２１、浴槽戻り管２２、浴槽往き管２３、浴槽往き配管２４およびバイパス経路２５内が負圧になる、空気が流入することが防止でき、浴槽４０内の水頭圧を検知する水位センサ５４が正確に水位を検知できなくなることを防止することができる。
また、三方弁４４Ａ，４４Ｂを第２状態（図５参照）とすることにより、浴槽４０内に残湯がない場合であっても、凍結防止運転を行うことができる。
また、追い焚き運転の開始前に、三方弁４４Ａ，４４Ｂを第２状態（図５参照）として冷水防止運転を行うことにより、浴槽４０内に冷水が流入することを防止して使用者に不快感を与えない追い焚き運転が可能となる。
【００７２】
本実施形態に係る給湯システムＳは、給湯装置１の浴槽戻り管２２に水位センサ５４を設置する構成であるものとして説明したが、これに限定されるものではなく、浴槽往き戻り配管経路（浴槽戻り配管２１、浴槽戻り管２２、浴槽往き管２３、浴槽往き配管２４、バイパス経路２５）に水位センサ５４を設置する構成であってもよい。
【００７３】
本実施形態に係る給湯システムＳは、三方弁４４，逆止弁４５（または、三方弁４４Ａ，４４Ｂ）を有するバイパス経路２５を浴槽戻り配管２１と浴槽往き配管２４との間に配置する構成であるものとして説明したが、これに限定されるものではなく、三方弁４４，逆止弁４５（または、三方弁４４Ａ，４４Ｂ）を有するバイパス経路２５をアダプタ４１の内部に設けてもよい。
【００７４】
また、タンク２内の液体を加熱する加熱手段は、ヒートポンプユニット３に限定されるものではなく、電気を用いて熱を生成するヒータが貯湯タンク２内に配置される構成であってもよい。
【符号の説明】
【００７５】
Ｓ      給湯システム
１      給湯装置
２      タンク
３      ヒートポンプユニット
４      凍結防止三方弁
５      混合弁
６      電磁弁
７      風呂循環ポンプ
８      循環調整弁
９      追い焚き熱交換器
２１，２１ａ  浴槽戻り配管（第２配管）
２２    浴槽戻り管
２３    浴槽往き管
２４，２４ａ  浴槽往き配管（第１配管）
２５    バイパス経路
３１，３２  浴槽配管接続金具（一対の浴槽配管接続金具）
４０    浴槽
４１    アダプタ
４２    受入口
４３    供給口
４４    三方弁（切り換え手段）
４４Ａ  三方弁（切り換え手段、第１三方弁）
４４Ｂ  三方弁（切り換え手段、第２三方弁）
４５    逆止弁（切り換え手段）
５０    制御部（制御手段）
５１    台所リモコン
５２    風呂リモコン
５３    風呂温度センサ
５４    水位センサ
【図１】
0005584659.tif 000002
【図２】
0005584659.tif 000003
【図３】
0005584659.tif 000004
【図４】
0005584659.tif 000005
【図５】
0005584659.tif 000006